(57)【要約】【課題】蓋部の開封性が良く、開封した蓋部を容易かつ確実に再封することができるシールエンドカートン型の包装箱を提供する。【解決手段】箱体形成片１２は、互いに平行に連接された第一乃至第四側面１４，１６，１８，２０を備える。第一側面１４の一端部に第一蓋片４０を備える。第三側面１８の一端部に、順に延設された補強片５６、第一破断線６４で区切られた再封片６２、及び第二蓋片６６を備える。補強片５６の第三側面１８側の端部に透孔６０が開口している。第三側面１８の端部に、第二破断線７８に囲まれた開封部７６を備える。組み立て状態で、第一乃至第四側面１４，１６，１８，２０で筒状体が形成される。補強片５６の基端部が折り曲げられて開封部７６が透孔６０の内側に配され、補強片５６の裏面が第三側面１８に糊付けされる。再封片６２が第一破断線６４で折り曲げられて補強片５６に当接する。【選択図】図２
0003194136.tif 000002
【実用新案登録請求の範囲】
【請求項１】
一枚のブランクシートから一体的に打ち抜かれた箱体形成片から成り、前記箱体形成片には、第一側面、第二側面、第三側面、第四側面が順に互いに平行な折罫線を介して連接され、前記第一側面は、前記連接方向に対して直角な一端部に、第一蓋片が第一折罫線で区切られて延設され、前記第三側面は、前記連接方向に対して直角な一端部に、補強片が第二折罫線で区切られて延設され、前記補強片の先端部には、前記補強片の延出方向長さと等しく同方向に延出した再封片が、第一破断線で区切られて延設され、前記補強片の内側には、前記第二折罫線側の端部に透孔が開口し、前記再封片の先端部には、前記差込片と同じ方向に延出した第二蓋片が、第三折罫線で区切られて延設され、前記第三側面の内側には、前記透孔よりも小さく、指で押圧可能な大きさの開封部が、前記第二折罫線側の端部に、前記透孔及びＵ字状の第二破断線に囲まれて設けられ、
組み立てた状態で、前記第一側面、前記第二側面、前記第三側面及び前記第四側面から成る筒状体が形成され、前記補強片が前記第二折罫線で折り曲げられて前記開封部が前記透孔の内側に配され、前記補強片の裏面が前記第三側面の前記開封部以外の部分の裏面に糊付けされ、前記再封片が前記第一破断線で折り曲げられて前記再封片の表面が前記補強片の表面に当接し、前記第一及び第二蓋片が第一折罫線又は第二折罫線でそれぞれ折り曲げられ、前記筒状体の一方の開口端を塞ぐように前記第一及び第二蓋片を重ねて糊付けされて蓋部が形成され、
前記開封部を押し込んで前記第一及び第二破断線を破断することによって前記蓋部を開封することができ、開封した後、前記再封片が前記筒状体の開口端部分に係合させることによって前記蓋部を再封することができることを特徴とする再封可能な包装箱。
【請求項２】
組み立てた状態で、前記再封片の表面の部分が、前記透孔を通じて前記開封部の裏面に糊付けされている請求項１記載の再封可能な包装箱、
【請求項３】
前記再封片の幅は、前記第第一側面又は第三側面の幅と等しいものである請求項１又は２記載の再封可能な包装箱。
【考案の詳細な説明】
【技術分野】
【０００１】
この考案は、開封した蓋部を簡易的に再封できるシールエンドカートン型の包装箱に関しする。
【背景技術】
【０００２】
従来、この種の包装箱として、例えば特許文献１に開示されている包装用箱があった。この包装用箱は、ブランクシートから一体的に打ち抜かれた箱体形成片から成り、箱体形成片の状態で、筒状体を形成する第一側面板、正面板、第二側面板及び背面板が順に連接され、筒状体の一方の開口端を塞ぐ外蓋片及び内蓋片が、それぞれ正面板及び背面板の一端に折罫線で区切られて延設されている。開封操作を容易にするため構成として、正面板の外蓋片側の端部に、折罫線とＵ字状の破断線に囲まれた開封部が設けられ、この折罫線の両端部に、開封用切込線が設けられている。また、再封可能にするための構成として、内蓋片の先端部に、再封片が折罫線で区切られて延設され、内蓋片の再封片側の端部に、折罫線とＵ字状の破断線に囲まれた貼付片が設けられている。
【０００３】
組み立てた状態で、再封片が折り曲げられて内蓋片に重なり、再封片の裏面が貼着片の裏面に糊付けされ、筒状体の一方の開口端を塞ぐように内蓋片が折り曲げられ、その上に外蓋片が重なって糊付けされて蓋部が形成される。
【０００４】
開封するときは、指で開封部を押し込んで正面板の破断線を破断し、さらに蓋部を引き上げて開封用切込線を破断し、蓋部を開く。その後、再封する時は、再封片を内蓋片から引き離して破断線を破断し、引き起こした再封片を正面板の開封用切込線側の端部の内側に差し込んで係合させることにより、蓋部を閉じた状態に保持する構造になっている。
【先行技術文献】
【特許文献】
【０００５】
【特許文献１】登録実用新案第３１８８８９２号公報
【考案の概要】
【考案が解決しようとする課題】
【０００６】
しかし、特許文献１の包装用箱は、開封部を囲む破断線を最適化する設計が簡単ではない。例えば、比較的破れやすく設計すると、商品輸送時のハンドリングによって不意に破断線が破れてしまうおそれがあり、反対に、破断しにくく設計すると、開封するため開封部を押し込んだとき、破断線が破れる前に正面板が変形してしまうおそれがある。しかも、破断線の破断のしやすさは、破断線の寸法のばらつき、基材（紙など）の厚みや吸湿の度合いのばらつき、開封部が押圧される角度のばらつき等も影響する。したがって、常に良好な開封性が得られるようにするのは難しいものであった。
【０００７】
また、この包装用箱は、開封後、開封部が外蓋片の端部に繋がってブラブラするので、見栄えが良くないだけでなく、再封する操作の障害になる可能性もある。
【０００８】
本考案は、上記背景技術に鑑みて成されたものであり、蓋部の開封性が良く、開封した蓋部を容易かつ確実に再封することができるシールエンドカートン型の包装箱を提供することを目的とする。
【課題を解決するための手段】
【０００９】
本考案は、一枚のブランクシートから一体的に打ち抜かれた箱体形成片から成り、前記箱体形成片には、第一側面、第二側面、第三側面、第四側面が順に互いに平行な折罫線を介して連接され、前記第一側面は、前記連接方向に対して直角な一端部に、第一蓋片が第一折罫線で区切られて延設され、前記第三側面は、前記連接方向に対して直角な一端部に、補強片が第二折罫線で区切られて延設され、前記補強片の先端部には、前記補強片の延出方向長さと等しく同方向に延出した再封片が、第一破断線で区切られて延設され、前記補強片の内側には、前記第二折罫線側の端部に透孔が開口し、前記再封片の先端部には、前記差込片と同じ方向に延出した第二蓋片が、第三折罫線で区切られて延設され、前記第三側面の内側には、前記透孔よりも小さく、指で押圧可能な大きさの開封部が、前記第二折罫線側の端部に、前記透孔及びＵ字状の第二破断線に囲まれて設けられ、
組み立てた状態で、前記第一側面、前記第二側面、前記第三側面及び前記第四側面から成る筒状体が形成され、前記補強片が前記第二折罫線で折り曲げられて前記開封部が前記透孔の内側に配され、前記補強片の裏面が前記第三側面の前記開封部以外の部分の裏面に糊付けされ、前記再封片が前記第一破断線で折り曲げられて前記再封片の表面が前記補強片の表面に当接し、前記第一及び第二蓋片が第一折罫線又は第二折罫線でそれぞれ折り曲げられ、前記筒状体の一方の開口端を塞ぐように前記第一及び第二蓋片を重ねて糊付けされて蓋部が形成され、
前記開封部を押し込んで前記第一及び第二破断線を破断することによって前記蓋部を開封することができ、開封した後、前記再封片が前記筒状体の開口端部分に係合させることによって前記蓋部を再封することができる再封可能な包装箱である。
【００１０】
組み立てた状態で、前記再封片の表面の部分が、前記透孔を通じて前記開封部の裏面に糊付けされていることが好ましい。また、前記再封片の幅は、前記第第一側面又は第三側面の幅と等しいことが好ましい。
【考案の効果】
【００１１】
本考案の再封可能な包装箱は、簡単な構造で組み立て易く、包装の作業性もよいものである。また、組み立てた状態で、開封部の周壁が補強片で補強されることにより良好な開封性を安定的に実現することができ、開封後は、再封片を用いて違和感なく確実に再封することができる。
【図面の簡単な説明】
【００１２】
【図１】本考案の再封可能な包装箱の一実施形態の組み立て状態を示す図であって、第二及び第三側面の側から見た斜視図（ａ）、第一及び第四側面の側から見た斜視図（ｂ）である。
【図２】この実施形態の包装箱の箱体形成片の裏面側を示す展開図である。
【図３】図２の箱体形成片の組み立て工程を示す図である。
【図４】図２の箱体形成片の組み立て工程を示す図である。
【図５】図２の箱体形成片の組み立て工程を示す図である。
【図６】図２の箱体形成片の組み立て工程を示す図である。
【図７】図２の箱体形成片の組み立て工程を示す図（ａ），（ｂ），（ｃ）である。
【図８】図２の箱体形成片の組み立て工程を示す図（ａ），（ｂ），（ｃ）である。
【図９】この実施形態の包装箱を開封した状態を示す斜視図（ａ）、カード片を切り離した状態を示す斜視図（ｂ）である。
【図１０】この実施形態の包装箱を再封した状態を示す図であって、第二及び第三側面の側から見た斜視図（ａ）、第一及び第四側面の側から見た斜視図（ｂ）である。
【図１１】この実施形態の包装箱を廃棄するため分解する操作を説明する図（ａ），（ｂ），（ｃ）である。
【考案を実施するための形態】
【００１３】
以下、本考案の再封可能な包装箱の一実施形態について、図面に基づいて説明する。この実施形態の包装箱１０は、図１に示すように、略直方体の箱体であり、厚紙等の一枚のブランクシートを一体的に打ち抜いた箱体形成片１２を組み立てることによって形成される。
【００１４】
図２は、箱体形成片１２を裏面から見た展開図であり、箱体形成片１２は、互いに平行に連接された第一側面１４、第二側面１６、第三側面１８、第四側面２０を有している。４つの側面１４，１６，１８，２０は、連接方向と直交する幅方向の長さが同じであり、連接方向の長さは第一及び第三側面１４，１８が長くて互いにほぼ等しく、第二及び第四側面１６，２０が短くて互いにほぼ等しい。第一側面１４側の端部には、包装箱１０の組立状態で第四側面２０側の端部の裏面に糊付けされる糊付け片２２が設けられている。糊付け片２２、４つの側面１４，１６，１８，２０は、各々折罫線２４，２６，２８，３０で区切られている。
【００１５】
糊付け片２２は、折罫線２４から離れるにしたがって幅が狭くなる台形に形成されている。糊付け片２２の折罫線２４と反対側の端部には、第一カード部３２が第三破断線３４で区切られて設けられている。第一カード部３２は、連接方向と直行する幅方向に長い矩形であり、第一カード部３２及び糊付け片２２を合わせた大きさは、箱体形成片１２の組み立て状態で糊付け片２２が糊付けされる第四側面２０よりも小さいものである。第一カード部３２の、第三破断線３４に交差する一方の側縁部には、摘み部３６が折罫線３８を介して設けられている。摘み部３６は、外側へ向かって半円状に膨出する形状である。
【００１６】
第一側面１４の一端部には、先端側の幅が狭くなっている台形状の第一蓋片４０が延設され、第一折罫線４２で第一側面１４と区切られている。第一蓋片４０の延出方向長さは、第二及び第四側面１６，２０の連接方向長さの約2/3程度である。第一側面１４の他端部には、第一蓋片４０と同形の蓋片４４が延設され、折罫線４６で第一側面１４と区切られている。
【００１７】
第二側面１６の、第一側面１４の第一折罫線４２に連続する端部には、フラップ４８が延設され、折罫線５０で第二側面１６と区切られている。第二側面１６の他端部には、フラップ５２が延設され、折罫線５４で第二側面１６と区切られている。
【００１８】
第三側面１８の、第二側面１６の折罫線５０に連続する端部には、補強片５６が延設され、第二折罫線５８で区切られている。補強片５６の延出方向長さは、第二及び第四側面１６，２０の約1/2程度である。補強片５６の内側には、第二折罫線５８側の端部に、台形状の透孔６０が開口している。
【００１９】
補強片５６の先端部には、再封片６２が延設され、第一破断線６４で区切られている。再封片６２の延出方向長さは、補強片５６の延出方向長さとほぼ等しい。再封片６２は、補強片５６との境界部分の両端が内向きに略Ｖ字状に切り欠かれ、切り欠かれた部分の両角部が円弧状になっている。
【００２０】
再封片６２の先端部には、略矩形の第二蓋片６６が延設され、第三折罫線６８で再封片６２と区切られている。第二蓋片６６の延設方向長さは、第二及び第四側面１６，２０の連接方向長さとほぼ等しい。再封片６２の中央部には、透孔６０を介して対面する、第三側面１８の裏面との接触を確実にするためのエンボスが形成されていても良い。
【００２１】
第三側面１４の他端部には、第二蓋片６６と同形の蓋片７０が延設され、折罫線７２で第三側面１８と区切られている。蓋片７０は、延出方向のほぼ中央部にＶ字状の第四破断線７４が設けられ、先端側部分７０ａと基端部側部分７０ｂとに区切られている。
【００２２】
さらに、第三側面１８の内側には、第二折罫線５８側の端部に、透孔６０よりも小さく、指で押圧可能な大きさの開封部７６が、透孔６０及びＵ字状の第二破断線７８に囲まれて設けられている。第三側面１８の開封部７６には、透孔６０を介して対面する、再封片６２の表面との接触を確実にするためのへこみが形成されていても良い。
【００２３】
第四側面２０の、第三側面１０の第二折罫線５８に連続する端部には、フラップ８０が延設され、折罫線８２で第四側面２０と区切られている。第四側面２０の他端部には、フラップ８４が延設され、折罫線８６で第四側面２０と区切られている。
【００２４】
さらに、第四側面２０の内側には、中央部からやや折罫線８６寄りの位置に、略矩形の第二カード部８８が設けられている。第二カード部８８は、第五破断線９０で囲まれて形成されている。
【００２５】
箱体形成片１２の表面には、内容物の名前や広告等の様々な情報が印刷されている。第一カード部３２には、例えば、製品名や使用者が読むべき商品の詳しい情報等が印刷される。第二カード部８８は、例えば、後述する商品を包装する工程で使用期限や商品の製造番号等が印刷される。
【００２６】
次に、表示片付き包装箱１０の組み立て方法の一例を説明する。ここでは、箱体形成片１２の表面が凸になる折り方を正折り、そして裏面が凸になる折り方を逆折りと称する。
【００２７】
まず、図２に示すように補強片５６の裏面に糊９２を塗布し、図３に示すように第二折罫線５８を正折りし、開封部７６が透孔６０の内側に配された状態で、補強片５６の裏面を第三側面１８の開封部７６以外の部分の裏面に糊付けする。これにより、第三側面１８の開封部７６の周縁部分が補強片５６と重なって補強される。その後、図３に示すように再封片６２の表面に糊９４を塗布し、図４に示すように第一破断線６４を逆折りし、再封片６２の表面を開封部７６の裏面に糊付けする。このとき、再封片６２の表面側に凸のエンボスが形成されていると、より確実に糊付けされる。同様に開封部７６に、裏面側へ凸のへこみが形成されている場合も、接着が確実になる。
【００２８】
次に、図５に示すように第四側面２０の端部及び第二カード部８８の裏面に、それぞれ糊９６，９８を塗付する。そして、折罫線２４を正折りし、さらに折罫線２８を正折りすることによって、第四側面２０の端部の裏面を糊付け片２２の表面に糊付けし、第二カード部８８の裏面を第一カード部の表面に糊付けする。箱体形成片１２は、この折り畳まれた状態で出荷される。
【００２９】
次に商品を収容して包装する工場等において、折罫線２４，２６，２８，３０を各々９０°に正折りして四角形の筒状体を形成する。そして、図７（ａ）（ｂ）（ｃ）に順に示すように、折罫線５４，８６でフラップ５２，８４を各々９０°に正折りし、折罫線４６で蓋片４４を９０°に正折りする。その後、蓋片７０の先端側部分７０ａに糊１００を塗布し、折罫線７２で蓋片７０を９０°に正折りし、蓋片７０の裏面を蓋片４４の表面に糊付けする。これによって、筒状体の一方の端部を閉鎖され底部が形成されるので、開放している他端部から箱体の中に商品を入れる。
【００３０】
次に、図８（ａ）（ｂ）（ｃ）に順に示すように、折罫線５０，８２でフラップ４８，８０を各々９０°に正折りし、折罫線４２で第一蓋片４０を９０°に正折りする。その後、第二蓋片６４の裏面に糊１０２を塗布し、第三折罫線６８で第二蓋片６６を９０°に正折りし、第二蓋片６６の裏面を第一蓋片４０の表面に糊付けする。このとき、第一カード部３２の摘み部３６は、箱体の蓋部に押されて折罫線３８で正折りされ、箱体の内側に収容される。
【００３１】
その後、収容した商品の使用期限や製造番号等を第二カード部８８に印刷する。これで商品の包装作業が終了し、図１に示す組み立て状態になる。
【００３２】
次に、この包装箱１０を開封及び再封する操作について説明する。開封するときは、第三側面１８の開封部７６を指で押し破る。このとき、開封部７６の周縁部分が補強片５６により補強されているので第三側面１８が変形しにくく、第二破断線７８を容易に破断させることができる。開封部７６を押し破ると、第一破断線６４もほぼ同時に破断し、再封片６２が補強片５６から切り離される。開封部７６は第三側面１８から分離するが、再封片６２に糊付けされているので、ゴミにはならない。そして、再封片６２及び第二蓋片６６を摘んで引き上げると、図９（ａ）に示すように筒状体の端部が開放し、中の商品を取り出すことができる。
【００３３】
また、第一カード部３２の摘み部３６を指で摘まんで第四側面２０から引き離すと、図９（ｂ）に示すように、第三破断線３４が破断して、第一カード部３２が糊付け片２２から分離する。このとき、第四側面２０の第二カード部８８が第一カード部３２に糊付けされているため、第四破断線８４もほぼ同時に破断し、第二カード部８８が第四側面２０から分離する。その結果、第一カード部３２と第二カード部８８とが一体に箱体から切り離される。第一カード部３２及び第二カード部８８は、商品の製品名や使用期限等の重要な情報が記載されているので、例えば、商品を包装箱１０から取り出して保管棚等で保管する場合、商品識別用の表示カードとして使用することができる。
【００３４】
開封後、包装箱１０の中に商品を戻して再封するときは、図１０に示すように、フラップ４０，８０と第三側面１８との隙間に再封片６２を差し込んで係合させることによって筒状体の端部を閉鎖する。再封片６２は、切り離された第一破断線６４側の両角部が円弧状に形成されているので、当該隙間に容易に差し込むことができる。第三側面１８の開封部７６が除去された開口部は、再封片６２によって塞がれる。開封部７６は、再封片６２の表面に糊付けされているので、ブラブラせずに見栄えが良く、再封する操作の障害にもならない。
【００３５】
再封片６２は、その幅が第三側面１６の幅いっぱいに広く設定するのが好ましく、再封片６２が第三側面１８の内面に広い面積で当接させることによって、より安定に係止することができる。また、第三折罫線６８の両端から一対の切り込みを設けておけば、切り込みとフラップ４８，８０の端縁とが互いに係合するので、閉鎖状態をより確実に保持することができる。
【００３６】
開封後、包装箱１０を廃棄するため分解するときは、図１１（ａ）（ｂ）（ｃ）に順に示すように、底部の蓋片７０の中央部を押し込んで、第四破断線７４を破断させる。すると、底部の閉鎖が簡単に解除され、包装箱１０を薄く折り畳むことができるようになるので、コンパクトな形で廃棄することができる。
【００３７】
以上説明したように、包装箱１０は、簡単な構造で組み立て易く、包装の作業性もよいものである。また、組み立てた状態で、開封部７６の周壁が補強片５６で補強されることにより良好な開封性を安定的に実現することができ、開封後は、再封片７６を用いて違和感なく確実に再封することができる。また、再封機能を有しない通常のシールエンド型の包装箱に比べ、箱体形成片から延出する部分の追加が少ない（補強片５６及び再封片６２だけ）ので、一枚のブランクシートから多くの箱体形成片１２を打ち抜くことができる。
【００３８】
なお、本考案の包装箱は上記実施形態に限定されるものではない。例えば、包装箱１０では、第二蓋片６６を大型の外蓋片、第一蓋片４０を小型の内蓋片としているが、反対に、第一蓋片４０を大型の外蓋片、第二蓋片６６を小型の内蓋片に変更してもよい。また、商品識別用の表示カードが不要であれば、第一カード部３２、第二カード部８８及びこれに関連する構成を省略してもよい。また、箱体の分解を容易にするための第四破断線７４も、必要に応じて省略してもよい。さらに、開封部７６を再封片６２に固定するための糊９４は、組み立て作業の効率化のため省略してもよい。これらの変更を加えた場合でも、上述した良好な開封性及び再封性を得ることができる。
【００３９】
箱体の大きさ、素材、各部材の形状等は適宜変更可能である。また、天板部側だけでなく、底部側にも上記のような補強片及び再封片を設け、筒状体の両側を開封及び再封可能な構造にしてもよい。
【符号の説明】
【００４０】
１０  再封可能な包装箱
１２  箱体形成片
１４  第一側面
１６  第二側面
１８  第三側面
２０  第四側面
２２  糊付け片
４０  第一蓋片
４２  第一折罫線
５６  補強片
５８  第二折罫線
６０  透孔
６２  再封片
６４  第一破断線
６６  第二蓋片
６８  第三折罫線
７６  開封部
７８  第二破断線
９２，９４，１０２  糊
【図１】
0003194136.tif 000003
【図２】
0003194136.tif 000004
【図３】
0003194136.tif 000005
【図４】
0003194136.tif 000006
【図５】
0003194136.tif 000007
【図６】
0003194136.tif 000008
【図７】
0003194136.tif 000009
【図８】
0003194136.tif 000010
【図９】
0003194136.tif 000011
【図１０】
0003194136.tif 000012
【図１１】
0003194136.tif 000013